Podtech/llm-jp-corpus-v4-ja_patent huggingface dataset:
(57)【要約】      （修正有）【課題】アラームをオフにしても自動的に翌朝設定時にアラームが作動する目覚まし時計を提供する。【解決手段】アナログ目覚まし時計は、一定時間後に鳴止が解除される鳴止自動解除スイッチと、２針のアラーム針を有す。前記２針のアラーム針の短針を２４時間計にする。このことにより、毎日のアラームのセットをせずに済み、又、午前と午後にアラームが鳴ることはない。【選択図】図１
2009128350.tif 000002
【特許請求の範囲】
【請求項１】
目覚まし時計において、セットしなおしを不要にするためのオフ自動解除スイッチ。
【請求項２】
前記目覚まし時計は、機械式アナログ置時計においても２４時間アラーム設定できるよう追加された２針式アラーム針。
【発明の詳細な説明】
【技術分野】
【０００１】  本発明は自動２４時間アラーム設定できる目覚まし時計に関する。
【背景技術】
【０００２】  従来の目覚まし時計は、自動２４時間のアラーム設定ができない。
【発明の開示】
【発明が解決しようとする課題】
【０００３】  上記の如く、従来の目覚まし時計は、起床後アラームを必ずオフにしなければならない。【０００４】  起床後アラームをオフにしなければならないということは、その晩の就寝時に必ずまたオンにしなければ翌朝アラームは作動しないということである。人間は習慣化していてもついうっかり忘れることや、思いかけず当日の夜に酒宴が発生し、帰宅直後に寝入ってしまうことなど、頼りの目覚まし時計以上に自身の自覚に頼らざるを得ないのが現状である。【０００５】  本発明はこのような点に鑑みて成されたものであり、デジタルまたはアナログ時計であっても、アラームを自動の２４時間で設定できるようにすることにある。
【課題を解決するための手段】
【０００６】  上記の目的を達成する本発明の目覚まし時計は、一定時間後に解除される鳴止スイッチが付加し、アナログの場合では現行品のアラーム針を２針にし、２４時間設定が可能とすることを特徴とする。【０００７】  一例として、始めに本発明品を用いアラームにより起床時刻をセットし就寝する。翌朝覚醒した後、現行のオフスイッチではなく、一定時間後に鳴止が解除されるスイッチによりアラームを止め起床する。一定時間後、鳴止が解除された時計はオンになるがすでに一定時間分、時が経ってしまっているのでアラームが鳴ることはない。またアナログ時計の場合は現行品の１２時間設定ではないので例えば朝７時にセットしておいても夜の７時にアラームが鳴ることもない。次に鳴るのは翌朝７時である。【０００８】  翌朝が休日などでアラームが鳴ってほしくないときなどは、現行のオフスイッチを用いて止める。その際は休日明け前の晩にオフスイッチをオンに変えなければならない。
【発明の効果】
【０００９】  以上説明したように本発明によれば、毎晩のアラームセットをせずに済むので、セットし忘れによる朝寝坊を防ぐことができる。【００１０】  朝寝坊を防ぐことにより、学校や会社での遅刻者が減り、規則正しい社会活動が促進されることが期待できる。
【発明を実施するための最良の形態】
【００１１】  以下、本発明の実施の形態を図面に基づき説明する。【００１２】  図１〜図２は本発明の実施の形態に係り、アナログ時計の例である。図１は正面図、図２は時計針を除いた正面盤面図となる。【００１３】  図に示すように、盤面での現行品との差はアラーム針が２針であること。そしてアラームの短針は２４時間計であることである。そして通常は１２時間計にてアラームセットされるが１２時間計であるアラームの針が２周することにより１周する短針の２４時間計にてアラームセットを行うものとする。【００１４】  デジタル時計は電子回路などにより、一定時間後、鳴止が解除されるスイッチを設ける。
【図面の簡単な説明】
【００１５】  外観上の特徴は一定時間後に鳴止が解除されるスプリング式などによるスイッチがあること。アナログ時計の場合はアラーム針が２針であることである。
【図１】  本発明実施の形態に係る、アナログ時計の盤面正面図である。一番太い針が短針で時針であり１１時を示している。次に太い針が長針で分針であり、１０分を示している。残りの長い方がアラーム用の１２時間針、短い方が２４時間針である。アラームは午前７時に設定されている。秒針は省略されている。またアラーム用２４時間針はこの図のように同軸上にある必要はない。
【図２】  上記形態に係る、針を除いた盤面図である。
【図１】
2009128350.tif 000003
【図２】
2009128350.tif 000004
(57)【要約】【課題】  灯油などによる家庭暖房機器の燃焼方法は本来の強制通風燃焼が殆どであり改善が見られない、システムの自動化にのみ開発がみられ本来の燃焼効率に一考を促したい。従来の燃焼方法は灯油の持つ温度によって気化される特性にのみ甘んじ混合気の攪拌に及ばず単に燃焼後の高温滞留を試みるのみである。【解決手段】  ガソリンの気化器でも気化後の混合気はミキシングを進める。灯油・重油・廃油となれば気化以上の方法で高燃焼を図るべきである。本発明は燃料が気化後の混合を更に進める方法として燃焼室内の回転気流の発生を提案する。【選択図】図１
2009128004.tif 000002
【特許請求の範囲】
【請求項１】
燃焼室を正方形の縦型とし４隅に縦１方向に空気孔を明け空気供給によって空気が燃焼室内で回転する構造とする
【発明の詳細な説明】
【発明の詳細な説明】
【発明の属する分野】
ポット式燃焼機
【背景技術】  ポットの形状は殆どは円筒形であり上部に空気孔が平行にあり底部でガス化された混合気が空気孔の上部で燃焼する（家庭用石油暖房機などの例）
【発明が解決しようとする課題】
従来のポット式燃焼機は空気供給が燃焼室の中心に向け噴射され燃焼による熱で底部の燃料がガス化され燃焼するがガス化された混合気は攪拌されていないためＬＰガス燃焼機器に比べ燃焼性能は低い。
【課題を解決するための手段】
本発明はポット形状を正方形の縦型とし各々角に一方向の空気供給孔を縦に設ける（図１〜２の矢線）、ガス化された混合気は空気の回転によって更にミキシングされ燃焼性能を改善する。２面に設けた空気孔（図１〜２参照）は混合気を吹き上げ及び終了時の無煙化を助ける。
【発明を実施するための最良の形態】  縦状のポットの外側をカバーで囲み外部から空気を圧送する、燃焼室の高さは一辺の１．５倍が燃焼上望ましい、放熱体部は大きく採り暖房効果を増大させた。
【発明の効果】
従来の燃料ガス化に加え回転によるミキシング効果によって燃焼性能は著しく向上、異臭・煤煙は皆無である、従来の燃焼は燃焼炎が燃焼室の中心に集中したが回転燃焼の特徴は燃焼炎が燃焼室下部で発生せず放熱体の壁面に広がって暖房効果を高める。また燃焼初期の立ち上がりが従来方法の数倍早く通常燃焼となる。
【図面の簡単な説明】
【図１】  燃焼室の平面図
【図２】  燃焼室と放熱体の側面図
【符号の説明】
１．燃焼室本体
２．放熱体
３．矢線・燃焼用空気墳射方向
４．吹き上げ空気孔
５．送風機
６．燃料
【図１】
2009128004.tif 000003
【図２】
2009128004.tif 000004
(57)【要約】【課題】本発明はバッテリ、マイコン、昇圧回路、インターフェイス回路、及びセンサーなどが内蔵された電源部と放電管、反射鏡、コンデンサーなどが内蔵されるヘッド部から成るストロボの前記放電管の近傍に温度センサーを配置し、この温度センサーで測温した温度をストロボ外部の表示部で表示して使用者に温度を知らせ警告するようにした点である。【解決手段】電源部とヘッド部とからなるストロボであって、前記ヘッド部の高温発生個所に温度センサーを配し、該温度センサーで検知した熱温度をストロボ筐体の外部で表示する表示部とからなることを特徴としたストロボの温度表示装置。【選択図】図１
2009128150.tif 000002
【特許請求の範囲】
【請求項１】
電源部とヘッド部とからなるストロボであって、前記ヘッド部の高温発生個所に温度センサーを配し、該温度センサーで検知した熱温度をストロボ筐体の外部で表示する表示部とからなることを特徴としたストロボの温度表示装置。
【発明の詳細な説明】
【技術分野】
【０００１】
本発明は、電源部とヘッド部とからなるストロボの高温発生部の温度を温度センサーで検出し確実に使用者に知らせる温度表示装置に関する。
【背景技術】
【０００２】
従来、被写体撮影が出来るカメラの内蔵ストロボは光量不足の場合、別に、外付けストロボが利用されている。この外付けストロボによって十分な光量が確保されるが、このストロボを連続発光させると放電管、電源発振回路等等の部品が発熱する。特に放電管は１００℃以上になることが多く生じる。したがって、使用者にはこの状況を警告として早く安価に知らせる必要がある。
【０００３】
特許文献１は、高温物体の表面温度を表示する装置で、ペルチェ素子とペルチェにより生成された起電力に基づいて表面温度を温度表示するものであるが、対象がストロボでなくしかもストロボでの技術解決が記述されていない。また、出願人が調べた範囲ではストロボの温度表示技術は発見できなかった。
【特許文献１】特開２００４−３０９３３０号公報
【発明の開示】
【発明が解決しようとする課題】
【０００４】
本発明はバッテリ、マイコン、昇圧回路、インターフェイス回路、及びセンサーなどが内蔵された電源部と放電管、反射鏡、コンデンサーなどが内蔵されるヘッド部から成るストロボの前記放電管の近傍に温度センサーを配置し、この温度センサーで測温した温度をストロボ外部の表示部で表示して使用者に温度をしらせ警告するようにした点である。
【課題を解決するための手段】
【０００５】
本発明は電源部とヘッド部とからなるストロボであって、前記ヘッド部の高温発生個所に温度センサーを配し、該温度センサーで検知した熱温度をストロボ筐体の外部で表示する表示部とからなることによって、ヘッド部の高温発生個所の熱温度を前記ヘッド部の外に設けた表示部で警告表示するものである。
【０００６】
又、本発明の構造は高温になる放電管の近傍から温度センサーで外部の表示部に表示するので構造は安価で、効果的なストロボの測温ができるものである。
【発明の効果】
【０００７】
請求項１記載の発明によれば、簡単で安価な構造を採用することで連続発光させて放電管が高温になってもそれを確実に使用者に伝え、ストロボの発光を休止させて、高温による障害を未然に防ぐことができる効果がある。
【発明を実施するための最良の形態】
【０００８】
以下に、図１乃至図４を参照して本発明の実施例に係るストロボの温度表示装置を説明する。図１、図２は筐体構造のストロボ１で、図１はストロボ１を側面から見た図、第２図はストロボ１を背面から見た図である。ストロボ１はヘッド２部と電源部３とから構成され、電源部３はバッテリ、マイコン、昇圧回路、インターフェイス回路、及びセンサーなどが内蔵され、ヘッド２部は発光装置４の放電管５、反射鏡６とコンデンサーなどが内蔵される。
【０００９】
前記発光装置４の反射鏡６の裏側の頂部には近接して温度センサー７が前記ヘッド部２の内部に天井から延出している。前記温度センサー７の終端は図３に示すように凹み部８の中に強制的に挿入されている。従って、温度センサー７は簡単に凹み部８から外れることはない。又、温度センサー７は第４図に示す温度センサー回路の回路素子の一部に該当（この場合サーミスタ９）し、温度センサー回路のＬＥＤ素子１０は第２図のストロボ１の背面に臨んでいて表示部を構成する。１１はストロボ１背部のディスプレーである。
【００１０】
即ち、反射鏡６の温度を測温した温度センサー７（この場合サーミスター９）は第４図の温度センサー回路によってＬＥＤ素子１０を発光させ、反射鏡６の温度を使用者に即座にしらせ警告することができるものである。
【産業上の利用可能性】
【００１１】
本発明によるストロボの温度表示は使用者に発光装置の温度を警告するのでストロボが熱で焼損するような事故を未然に防ぐことができ、従来に無いものであるからこれらの実現は産業上有用である。
【図面の簡単な説明】
【００１２】
【図１】はストロボの側面図。
【図２】は図１のストロボの背面図。
【図３】は図４の温度センサーを取り付けた要部の拡大断面図。
【図４】は温度センサー回路図。
【符号の説明】
【００１３】
１    ストロボ
２    ヘッド部
３    電源部
４    発光装置
５    放電管
６    反射鏡
７    温度センサー
８    凹み部
９    サーミスター
１０  ＬＥＤ素子
１１  ディスプレー
【図１】
2009128150.tif 000003
【図２】
2009128150.tif 000004
【図３】
2009128150.tif 000005
【図４】
2009128150.tif 000006
(57)【要約】【課題】本発明はバッテリ、マイコン、昇圧回路、インターフェイス回路、及びセンサーなどが内蔵された電源部と放電管、コンデンサーなどが内蔵されるヘッド部から成るストロボの前記放電管の近傍に熱伝導板を配し、この熱伝導板からヘッド部の筐体を介して外部の液晶温度計で温度を知らせるようにした点である。【解決手段】電源部とヘッド部とからなるストロボであって、前記ヘッド部の高温発生個所に熱伝導板を配し、該熱伝導板を介して伝わる熱温度を前記ヘッド部の外に設けた液晶温度計で測温表示してなることを特徴としたストロボの液晶温度表示装置。【選択図】図１
2009128149.tif 000002
【特許請求の範囲】
【請求項１】
電源部とヘッド部とからなるストロボであって、前記ヘッド部の高温発生個所に熱伝導板を配し、該熱伝導板を介して伝わる熱温度を前記ヘッド部の外に設けた液晶温度計で測温表示してなることを特徴としたストロボの液晶温度表示装置。
【発明の詳細な説明】
【技術分野】
【０００１】
本発明は、電源部とヘッド部とからなるストロボの高温発生部の温度を簡単な測温装置で測温し、使用者に警告するストロボの液晶温度表示装置に関する。
【背景技術】
【０００２】
従来、被写体撮影が出来るカメラの内臓ストロボは光量不足の場合、別に、外付けストロボが利用されている。この外付けストロボによって十分な光量が確保されるが、このストロボを連続発光させると放電管、電源発振回路等の部品が発熱する。特に放電管は１００℃以上になることが多く生じる。したがって、使用者にはこの状況を警告として早く安価に知らせる必要がある。
【０００３】
特許文献１は、水道の蛇口に液晶温度計を貼って測温しているが、ストロボの本体の測温とはことなるものである。この構成であると外付けストロボの放電管の発熱を確実に測温できない。
【特許文献１】特開２００２−５２７７２０号公報
【発明の開示】
【発明が解決しようとする課題】
【０００４】
本発明はバッテリ、マイコン、昇圧回路、インターフェイス回路、及びセンサーなどが内蔵された電源部と放電管、反射鏡、コンデンサーなどが内蔵されるヘッド部から成るストロボの前記放電管の近傍に熱伝導板を配し、この熱伝導板からヘッド部の筐体を介して外部の液晶温度計で温度を知らせるようにした点である。
【課題を解決するための手段】
【０００５】
本発明は電源部とヘッド部とからなるストロボであって、前記ヘッド部の高温発生個所に熱伝導板を配し、該熱伝導板を介して伝わる熱温度を前記ヘッド部の外に設けた液晶温度計で測温表示してなることを解決手段とするものである。
【０００６】
又、本発明の構造は高温になる放電管の近傍から熱伝導板で外部の液晶温度計に温度表示する構造は安価で、効果的なストロボの測温ができるものである。
【発明の効果】
【０００７】
請求項１記載の発明によれば、簡単な構造で連続発光させて放電管が高温になっても
それを確実に使用者に伝えストロボの発光を休止させて、高温による障害を未然に防ぐことができる効果がある。
【発明を実施するための最良の形態】
【０００８】
以下に、図１乃至図３を参照して本発明の実施例に係るストロボの液晶温度表示装置を説明する。図１、図２は筐体構造のストロボ１で、図１はストロボ１の上面から見た図、第２図はストロボ１を側面から見た図である。ストロボ１はヘッド２部と電源部３とから構成され、電源部３はバッテリ、マイコン、昇圧回路、インターフェイス回路、及びセンサーなどが内蔵され、ヘッド２部は発光装置４の放電管５、反射鏡６とコンデンサーなどが内蔵される。
【０００９】
前記発光装置４の反射鏡６の裏側の頂部には近接して熱伝導板７が前記ヘッド部の内部に天井から延出している。前記熱伝導板７の終端は図３に示すように凹み部８の中に強制的に挿入されている。従って、熱伝導板７は簡単に凹み部８から外れることはない。熱伝導板７が係合したヘッド部２の内側天井部に対応する位置の外部には液晶温度計９が貼付される。
【００１０】
従って、放電管５で発生した熱は反射鏡６、熱伝導板７、ヘッド部２の裏側天井、天井の筐体、液晶温度計９に伝わって液晶温度計に温度表示がされ、使用者に温度警告を知らしめることができる。この場合、熱伝導板７は反射鏡６に確実に接触していることが正確な測温を実現できる。
【産業上の利用可能性】
【００１１】
本発明の熱伝導板は内部で取り付けられるのでストロボの該外観を損ねることがなく、又、液晶温度計はヘッド部の上面に貼付されるので確認し易い。これらの実現は安価で簡単な構造であるから産業上有用である。
【図面の簡単な説明】
【００１２】
【図１】はストロボの上面図。
【図２】は図１のストロボの側面図。
【図３】は図２の熱伝導板を取り付けた要部の拡大断面図。
【符号の説明】
【００１３】
１    ストロボ
２    ヘッド部
３    電源部
４    発光装置
５    放電管
６    反射鏡
７    熱伝導板
８    凹み部
９    液晶温度計
【図１】
2009128149.tif 000003
【図２】
2009128149.tif 000004
【図３】
2009128149.tif 000005
(57)【要約】【課題】抱いている乳幼児に遊び道具となるものを預けても、落とす心配もなく遊ばせることが出来る。また、抱いている乳幼児を飽きさせない、抱く側の首にぶら下げる乳幼児用玩具を提供する。【解決手段】乳幼児の安全を考慮した柔らかい材質の紐体（１）に、特定の形に捉われない乳幼児の遊び道具となるもの（２）を設け、紐体の端と端を結合する。これを抱く側の首にぶら下げることで、乳幼児を抱いて両手が塞がっていても、落とす心配もなく遊ばせることが出来る。これにより、乳幼児にとっても、視線の先に遊び道具となるものがあり、抱かれている環境が、より豊になる、抱く側の首にぶら下げる乳幼児用玩具を特徴とする。【選択図】図１
2009101106.tif 000002
【特許請求の範囲】
【請求項１】
乳幼児の安全を考慮した柔らかい材質の紐体（１）に、特定の形に捉われない乳幼児の遊び道具となる物（２）を設け、紐体の端と端を結合する。
以上の構成よりなる抱く側の首にぶら下げる乳幼児用玩具。
【発明の詳細な説明】
【技術分野】
【０００１】この発明は、乳幼児の遊び道具となるものを、抱く側の首にぶら下げる、乳幼児用玩具に関するものである。
【背景技術】
【０００２】従来、乳幼児用玩具とは単体であり自主的な遊びに役立つ道具。また、これを預けることにより、これに集中して乳幼児を飽きさせないようにすることがなされている。
【発明の開示】
【発明が解決しようとする課題】
【０００３】これは、次のような欠点があった。
抱いている乳幼児に遊び道具となるものを預けても、すぐに落としてしまう為、落とした玩具を、乳幼児を抱きながら拾うのが困難であった。また、乳幼児は玩具を口に含むことがあるで、落として汚れた玩具を、そのつど洗ったり拭いたりしなくてはいけなかった。
本発明は、これらの問題点を解決するためになされたものである。
【課題を解決するための手段】
【０００４】乳幼児の安全を考慮した柔らかい材質の紐体（１）に、特定の形に捉われない乳幼児の遊び道具となるもの（２）を設け、紐体の端と端を結合する。
本発明は、以上の構成よりなる抱く側の首にぶら下げる乳幼児用玩具である。
【発明の効果】
【０００５】乳幼児の遊び道具となるものが抱く側の首にぶら下がっているので、抱いている乳幼児が、これで遊んで落とす心配もなければ、乳幼児が母親以外の方に抱かれても、これで遊ぶ事に集中することで、より早期に乳幼児と慣れることが出来る効果が望める。
【発明を実施する為の最良の形態】
【０００６】以下、本発明を実施するための最良の形態について説明する。
特定の形に捉われない乳幼児の遊び道具となるもの（２）に通し穴を設けて、乳幼児の安全を考慮した柔らかい材質の紐体（１）を通し、紐体間を移動可能なものと、この２つを固定させるものがある。そこで紐体の端と端とを結合、または脱着可能な連結具により結合することで、この紐体が輪となり、これを抱く側の首にぶら下げる形となる。また、特定の形に捉われない乳幼児の遊び道具となるもの（２）を、取外し可能なものにし、外して単体でも遊べるものがある。
本発明は、以上のような構造である。
これを使用するときは、乳幼児の遊び道具となるものが設けられた紐体の輪を、抱く側の首にぶら下げることで、乳幼児を抱いて両手が塞がっていても、落とす心配もなく遊ばせることが出来る。
【図面の簡単な説明】
【０００７】
【図１】  本発明の斜視図である。
【図２】  本発明の断面図である。
【符号の説明】
【０００８】１  乳幼児の安全を考慮した柔らかい材質の紐体
２  特定の形に捉われない乳幼児の遊び道具となるもの
【図１】
2009101106.tif 000003
【図２】
2009101106.tif 000004
(57)【要約】【課題】  トイレ等において手の衛生状態を保ち、幼児に対する安全性を確保しつつ、使用までに至る動作を一挙動とする安全装置付足踏み式芳香消臭スプレーを提供する。【解決手段】  使用形態を足踏み式とすることでトイレ等における手の衛生状態を保ち、さらに、バネ圧を利用した安全装置を設けることで従来のキャップの役割であった幼児に対する安全性を確保しつつ、足踏みによる一挙動で作動させることを特徴とする安全装置付足踏み式芳香消臭スプレー。【選択図】図１
2009101105.tif 000002
【特許請求の範囲】
【請求項１】
（イ）カバー（１）の中に奥を支点とした可動式の足踏みペダル（２）を取り付ける。
（ロ）スプレー缶（３）の上部にバネ式安全装置（５）を取り付ける。
（ハ）スプレー缶（３）の噴射弁（６）にストロー式の噴射ノズル（４）を取り付ける。
本発明は、以上の構成よりなる安全装置付足踏み式芳香消臭スプレー。
【発明の詳細な説明】
【技術分野】
【０００１】  本発明は、足踏み式とすることで手の衛生状態を保ち、さらに、バネ圧を利用した安全装置を設けることで幼児に対する安全性を確保しつつ、一挙動で作動させることを特徴とする安全装置付足踏み式芳香消臭スプレーに関するものである。
【背景技術】
【０００２】  従来、芳香消臭スプレーは、手に取り、キャップを取り外して作動させるため、トイレ等において手に対する衛生面に疑問を抱きつつ使用していた。
【発明の開示】
【発明が解決しようとする課題】
【０００３】  そのために、次のような問題点があった。
トイレ等において自分以前の使用者が手を洗浄後に芳香消臭スプレーを使用したか否かが不明であるため、当該スプレーを使用する際に不快感があった。
また、手に取り、キャップを取り外して作動させることから使用までに至る動作が多い。
本発明は、この問題点を解決するためになされたものである。
【課題を解決するための手段】
【０００４】（ニ）カバー（１）の中に奥を支点とした可動式の足踏みペダル（２）を取り付ける。
（ホ）スプレー缶（３）の上部にバネ式安全装置（５）を取り付ける。
（ヘ）スプレー缶（３）の噴射弁（６）にストロー式の噴射ノズル（４）を取り付ける。
本発明は、以上を特徴とする安全装置付足踏み式芳香消臭スプレーである。
【発明の効果】
【０００５】  本発明は、使用形態を足踏み式とすることでトイレ等における手の衛生状態を保ち、さらに、バネ圧を利用した安全装置を設けることで従来のキャップの役割であった幼児に対する安全性を確保しつつ、足踏みによる一挙動で作動させることができる。
【発明を実施するための最良の形態】
【０００６】  以下、本発明の実施の形態を説明する。
（イ）カバー（１）の中に奥を支点とした可動式の足踏みペダル（２）を取り付ける。
（ロ）スプレー缶（３）の上部にバネ式安全装置（５）を取り付ける。
（ハ）スプレー缶（３）の噴射弁（６）にストロー式の噴射ノズル（４）を取り付ける。
本発明は、以上の構成よりなりたっている。
本発明を使用するときは、足踏みペダルを踏むことにより、バネ式安全装置が規定の圧力以上の力で押し下げられた場合、スプレー缶の噴射弁を作動させ、噴射ノズルを通じてカバーの外へ芳香消臭剤が散布される。
これにより、手を使用せず、一挙動にて芳香消臭スプレーを使用することができる。
バネ式安全装置（５）の構造はスプリングの上部に円盤を設け、スプレー缶（３）上部に装着時は噴射弁（６）との間にわずかな隙間を設ける構造とする。
作動は規定圧力以上が円盤にかかると、円盤が噴射弁（６）を押さえ、噴射ノズル（４）からガスが散布される。
また、規定圧力とは、幼児が足踏みペダル（２）を手で押した時に作動しない圧力とする。
【図面の簡単な説明】
【０００７】
【図１】  本発明の使用状態を示した斜視図
【図２】  本発明の側面図
【図３】  本発明の平面図
【符号の説明】
【０００８】  １      カバー
２      足踏みペダル
３      スプレー缶
４      噴射ノズル
５      バネ式安全装置
６      噴射弁
【図１】
2009101105.tif 000003
【図２】
2009101105.tif 000004
【図３】
2009101105.tif 000005
(57)【要約】【課題】  書棚等に立て掛けた本を読むために抜き取ると本と本との間に隙間ができて残った本が将棋倒しになって非常に不便である。【解決手段】  布地やゴム等の柔軟性並びに弾力性に富む細幅のシート状体の両端部を互いに逆の方向に回して捩り体を形成し、台紙上に取り付けたものを書棚等の背板に設置することによって上記の将棋倒しを防止することができる。【選択図】図１
2009101102.tif 000002
【特許請求の範囲】
【請求項１】
柔軟性並びに弾力性に富む細幅のシート状体の両端部を互いに逆の方向に回すことによって捩り体を形成し、台紙上に取り付けたことを特徴とする書籍支持具。
【請求項２】
上記シート状体において、材質が相違する複数枚を使用して捩り体を形成してなる請求項１記載の書籍支持具。
【発明の詳細な説明】
【技術分野】
【０００１】  本発明は、書棚や本立て等に立て掛けた本やファイル等が将棋倒しになるのを防止する器具に関する。
【背景技術】
【０００２】  従来、書棚や本立て等に立て掛けた本やファイル等が使用するうちに将棋倒しになり大変に不便であったが、それを防止する器具は市場に存在しなかった。その主な理由は構造が複雑でコストが高くなることにあると考えられる。
【発明の開示】
【発明が解決しょうとする課題】
【０００３】  以上述べたように、本が将棋倒しになるのを防止する器具を実現しょうとするものであるが、本を抜き取って本と本との間に隙間が生じても倒れることなく、一冊の本でも倒れずに直立する上に、構造がシンプルな器具を安価に提供することを目的とするものである。
【課題を解決するための手段】
【０００４】  図１に基づいて説明すると布地、レザー、メッシュ、フエルト、ゴム、軟質プラスチック等の柔軟性並びに弾力性に富む細幅のシート状体を使用して捩り体（１）を形成して、台紙（２）に両端部をホッチキス等で取り付ける。
【０００５】  この捩り体（１）は、上記細幅のシート状体の両端部を互いに逆の方向に回すことによって安定した捩り体（１）を容易に形成できるとともに素材本来の有する以上の弾力性が発生する。その理由は、捩ることによって空気の層が捩り体（１）の内部に発生するからである。
【０００６】  この弾力と、柔らかさにより図２に示すように立て掛けた本（３）の小口（４）が捩り体（１）に食い込むことによって本（３）の倒れ掛かるのを防止できる。次に、本を抜き取ると弾力によって食い込みがなくなり捩り体（１）は原状回復するので繰り返し使用できるわけである。
【発明の効果】
【０００７】  本発明は、以上のように構成されているので図２に示すように書棚の背板（５）に設置して本（３）を押しつけるように立て掛けると柔軟性並びに弾力性に富む捩り体（１）に本（３）の小口（４）が食い込んで一冊の本でも倒れずに直立する。
【０００８】  従って、立て掛けた多くの本の内から一冊、二冊と抜き取って隙間が生じても残った本は倒れることはない。又、本の間隔を明けて立て掛けられるので本の出し入れも容易となる。
【０００９】  上段並びに下段の二個の捩り体（１）によって文庫本から大型本まで使用することができる。
【００１０】  書棚以外、例えば卓上本立てや壁面、パーティション等でも使用できる。又、本の外にファイル、カタログ、ＣＤ，ＤＶＤ等何でも立て掛けられるので便利である。
【００１１】  シンプルな構造であるが作用効果は大きく、製作が容易で安価に提供できる。
【発明を実施するための最良の形態】
【００１２】  以下、本発明の実施の形態を図１、図２に基づいて説明する。【００１３】  先ず、柔軟性並びに弾力性に富むシート状体の素材別の選択例を示すと、（１）布地（フリース、ジャージー、ちりめん等）、（２）レザー（合成皮革）、（３）メッシュ（４）フェルト、（５）ゴム（天然ゴム、合成ゴム）、（６）ゴム入織物、（７）軟質プラスチック（塩化ビニル等）、（８）不織布、（９）和紙、等である。【００１４】  上記の素材を幅が約１ｃｍ〜５ｃｍに裁断したものの両端部を互いに逆の方向に回わして捩り体（１）を形成し、台紙（２）にホッチキス等で取り付ける。【００１５】  なお、下段の捩り体（１）は台紙（２）の下端より約１１ｃｍの位置に、上段の捩り体（１）は同じく約１６ｃｍの位置に取り付ける。例外的に超大型本を立て掛ける場合には捩り体（１）の数を上段より上方の位置に増やすことによって有効に機能する。【００１６】  又、上記の異質の素材を組み合わせて捩り体（１）を形成することも考えられる。【００１７】  異質の素材を組み合わせることによって弾力を調整できるとともに、デザイン的には捩り体（１）のバリエーションを増大させることができる。【００１８】  素材としてゴムや軟質プラスチックを選択した場合には金型による成形も可能で大量生産に適している。なお、上記の布地に於て縦糸（毛糸、生糸等）のみを束ねて捩ることによって捩り体（１）を形成しても同様の効果を得ることができる。
【図面の簡単な説明】
【００１９】
【図１】  本発明の実施形態を示す正面図
【図２】  本発明の実施形態の使用状況を示す斜視図
【符号の説明】
【００２０】  １  捩り体
２  台紙
３  本
４  小口
５  背板
６  底板
【図１】
2009101102.tif 000003
【図２】
2009101102.tif 000004
(57)【要約】【課題】従来のヘッドカバーはゴルフクラブのシャフトとヘッドを保護する目的とデザインを重視したもので、その他ゴルファーにとって便利な使い方ができなかった。【解決手段】ヘッドカバーに多機能スペースを設けたことで、その中にティを入れておくことが可能になり、今までティショットの時にキャディバッグや小物入れ、ズボンのポケットなどに入れていたティを常にクラブと一緒に移動し取り出すことができるようになりティ専用の保管スペースを確保できる。またそのスペースに手袋を入れ、脱臭剤や消臭剤などと一緒に保管することで手袋が自然に脱臭、消臭されるようになる。【選択図】図１
2009101103.tif 000002
【特許請求の範囲】
【請求項１】
ゴルフクラブのヘッドカバーにティや手袋などを収納する専用スペースがあらかじめ設けられた多機能ヘッドカバー。
【請求項２】
請求項１の専用スペースにはティが動かないように固定する専用部品や、手袋の乾燥や脱臭などに使用する乾燥剤や脱臭剤などを安定収納するフックやネットなどが装着されていることが特徴の多機能ヘッドカバー。
【発明の詳細な説明】
【技術分野】
【０００１】  本発明はゴルフクラブのヘッドカバーにクラブを保護する機能だけでなく、ゴルファーに便利なスペースを付加したヘッドカバーに関する。
【背景技術】
【０００２】  従来のヘッドカバーはクラブヘッドやシャフトを保護することを優先に考えられていた。また保護目的の他に動植物やキャラクターなどのデザインを重視したものがある。
【発明の開示】
【発明が解決しようとする課題】
【０００３】  以上に述べた従来のゴルフクラブのヘッドカバーはクラブヘッドやシャフトの保護を目的とするか、デザインを優先に製作されていた。【０００４】  本発明はこのような従来のヘッドカバーが持つ機能やデザインに、新たにゴルファーに便利で役立つ機能を付加したものであり、従来のヘッドカバーにはない使い方をプラスしたものである。【０００６】  そして、本発明は上記目的を達成させるためにヘッドカバーの一部に収納スペースを設けて、ティや手袋などを簡単に収納できるようにしたものである。【０００７】  また、第２の課題解決手段は、収納スペースはティや手袋などを収納するだけではなく、乾燥剤や消臭剤などを同時に収納できるネットやベルトなどをつけることで色々なものを収納することができるようになる。【０００８】  上記第１の課題解決手段による作用は次の通りである。すなわちヘッドカバーの一部に収納スペースを設けることでヘッドカバーにはいつでもティや手袋をセットすることが可能になり、キャディバッグやウェアのポケットなどから取り出す手間なく、ショットをする前にすぐに取り出すことが可能になる。【０００９】  また第２の課題解決手段による作用は、ヘッドカバーの一部に収納スペースを設けティや手袋を収納するだけではなく、同じスペースに乾燥剤や消臭剤などを収納できるネットやベルトを設けることで、手袋の乾燥や脱臭を行なうことができるようになる。
【発明の効果】  以下、本発明の実施の形態を図１に基づいて説明する。【００１０】  図１においてＡはヘッドカバーのシャフトを保護する部分、Ｂはクラブヘッドを保護する部分を示している。Ｂの一部にＤのスペースを設けそのスペースに合わせて収納したものが収納スペースから出てしまわないようにＣの蓋を連結し、その蓋を任意に開閉できるようにＥとＦにボタンや磁石のような装置を装備する。そしてＤのスペースにティなどを固定する器具Ｐや、Ｃの部分にネットやベルトを設置した収納スペースＳがある。
【産業上の利用可能性】
【００１１】  上述したように本発明の多機能スペース付きヘッドカバーはティショットをするときに使用するティを持ち歩くことなく収納でき、手袋なども収納して消臭や乾燥なども行なういゴルファーに利便性を与えることができる。
【図面の簡単な説明】
【００１２】
【図１】本発明の実施形態を示すヘッドカバーの外観図
【符号の説明】
【００１３】          Ａ  ヘッドカバーシャフト保護部分
Ｂ  ヘッドカバーヘッド保護部分
Ｃ  ヘッドカバー多機能スペース蓋
Ｄ  ヘッドカバー多機能スペース
Ｅ  ヘッドカバー多機能スペース開閉器具１
Ｆ  ヘッドカバー多機能スペース開閉器具２
Ｇ  ヘッドカバー多機能スペース内収納器具
Ｐ  ティ固定器具
Ｔ  ティ
【図１】
2009101103.tif 000003
(57)【要約】【課題】  日常的に使用されるトイレットペーパにおいて、従来品よりも幅の狭い物を提供する。【解決手段】  現在、市販されているトイレットペーパーの幅は１１４ミリメートルであるが、１１４ミリメートルより幅の狭いトイレットペーパを作る。【選択図】図１
2009101110.tif 000002
【特許請求の範囲】
【請求項１】
現在、市販されている、トイレにおいて用便時に使用するロール状に巻かれたトイレットペーパの幅は１１４ミリメートルであるが、１１４ミリメートルより幅の狭いトイレットペーパ。
【発明の詳細な説明】
【技術分野】
【０００１】  本発明は、トイレットペーパの幅に関するものである。
【背景技術】
【０００２】  トイレで用便時にロール式トイレットペーパを使用する場合、現在の市販のトイレットペーパは、繰り出す時の量は調整できるが、ペーパの幅は１１４ミリメートルに規格されておる。用便時のペーパの幅方向の使用部分は１１４ミリメートルも必要とせず、１１４ミリメートルより狭くても目的を達することができる。現状は１１４ミリメートル幅のものしか無いために、１１４ミリメートルのもので用を足してしまう。
【発明の開示】
【発明が解決しようとする課題】
【０００３】  ロール状トイレットペーパにおいて、１１４ミリメートルより幅の狭いトイレットペーパを作ることにより、用便時に必要な幅のトイレットペーパを選択できるようにするものです。
【課題を解決するための手段】
【０００４】ロール状トイレットペーパの幅が、１１４ミリメートルより狭いトイレットペーパを作る。
【発明の効果】
【０００５】  幅の狭いトイレットペーパを作ることによる効果として、狭くなった分だけペーパが節約される事となり、ペーパの原料が削減される。従って、ペーパの原料である森林の保護、トイレットペーパの容積が小さくなることより梱包輸送費や保管スペースの削減、使用トイレットペーパの量が削減されることにより、水洗トイレの水節約、汚物の浄化設備の浄化負担の軽減などがあげられる。
【発明を実施するための最良の形態】
【０００６】  本発明は従来のトイレットペーパと同様に筒状の形だが、従来品に比べ幅を狭くしたものである。この幅が従来品に比べ０〜１５ミリメートル程度狭い物については、ペーパホルダーも従来のものを使用することができる。
トイレットペーパの幅を従来品に比べ１５ミリメートル以上狭くした物の場合は、ペーパホルダーの幅を狭くしなければならない場合もある。従って、このような場合はペーパホルダーの幅をペーパに合わせて狭くしなければならない。
【図面の簡単な説明】
【０００７】
【図１】本発明の斜視図
【図１】
2009101110.tif 000003
(57)【要約】【課題】エアコンの室外機等が、置かれているところでも設置が出来、また、本体下部空間を有効に活用出来て、しかも、ごみの除去にも手間のかからない、二脚式バランス盆栽棚を提供する。【解決手段】それぞれ、長さの異なる支柱および桟と、それぞれ、長さを同じくする梁および棚板とを用いて、左右のバランスを保持させながら、組み立てられる盆栽棚であって、本体を二本の脚で支えることにより、最初の棚段を浮かせることが出来、しかも、その脚を地中に埋設することや、支持材を９０度回転させることにより地面に設置することも出来、また、本体下部空間の最大利用を、可能にしたことを特徴とする二脚式バランス盆栽棚。【選択図】図１
2009101113.tif 000002
【特許請求の範囲】
【請求項１】
それぞれ、長さの異なる支柱および桟と、それぞれ、長さを同じくする梁および棚板とを用いて、左右のバランスを保持させながら、組み立てられる盆栽棚であって、本体を二本の脚で支えることにより、最初の棚段を浮かせることが出来、しかも、その脚を地中に埋設することや、支持材を９０度回転させることにより、地面に設置することも出来、また、本体下部空間の最大利用を、可能にしたことを特徴とする二脚式バランス盆栽棚。
【発明の詳細な説明】
【技術分野】
【０００１】本発明は、本体を二脚で支え、棚下空間を最大限に有効活用出来るようにした、二脚式バランス盆栽棚に関するものである。
【背景技術】
【０００２】従来、盆栽棚は多くの支柱で支えられて、その下部はデッドスペースとなっており、落葉やその他ごみの集積箇所になっていた。
【発明の開示】
【発明が解決しようとする課題】
【０００３】そのために、次のような問題点があった。
（イ）エアコンの室外機等が、置かれているところには、設置がしづらかった。
（ロ）落葉やその他ごみの除去には、多くの支柱やブレスのため、手間がかかり時間もかかっていた。
（ハ）設置場所は、少なくとも、盆栽棚全体の投影面が、平坦であることが条件であった。
本発明は、以上の問題点を解決しようとするものである。
【課題を解決するための手段】
【０００４】それぞれ、長さの異なる支柱および桟と、それぞれ、長さを同じくする梁および棚板とを用いて、左右のバランスを保持させながら、組み立てられる盆栽棚である。本体を二本の脚で支えることにより、最初の棚段を浮かせることが出来、しかも、その脚を地中に埋設することや、支持材を９０度回転させることにより、地面に設置することも出来、また、本体下部空間の最大限の利用を可能にした。
以上を特徴とする二脚式バランス盆栽棚である。
【発明の効果】
【０００５】本発明は、本体下部空間が有効に活用できるため、エアコンの室外機等が置かれているところにも設置できる。
従来、ごみの除去に手間と時間がかかっていたが、わずらわしさがなくなり時間の短縮が図られる。
【発明を実施するための最良の形態】
【０００６】  以下、本発明の実施の形態を説明する。
（イ）桟Ａ（３）、桟Ｂ（４）、桟Ｃ（５）を、コの字形に組み、棚受けＡ（２３）を設ける。
（ロ）桟Ｄ（６）、桟Ｅ（７）、桟Ｆ（８）を、コの字型に組み、もう一つの棚受けＢ（２４）を設ける。
（ハ）長い支柱（１）を後段側に、短い支柱（２）を前段側に平行に並べ、その並べられた二本の支柱に、棚受けＡ（２３）、棚受けＢ（２４）の順で、長い支柱（１）の頂点から等間隔、しかも、後段側は後方へ、桟Ａ（３）が上側になるように、前段側は前方へ、桟Ｆ（８）が下側になるように、それぞれ、突き出す形で取り付ける。
（ニ）棚受けＡ（２３）、棚受けＢ（２４）、棚受けＣ（２５）に筋違い（９）を取り付ける。
（ホ）長い支柱（１）と短い支柱（２）とを、補強材（１０）を介して結合させ、棚受け枠Ａ（２６）を設ける。
（ヘ）（イ）から（ホ）の作業を繰り返すことで、もう一組の棚受け枠Ｂ（２７）を設ける。
（ト）棚受け枠Ａ（２６）と棚受け枠Ｂ（２７）を梁Ａ（１１）、梁Ｂ（１２）、梁Ｃ（１３）、横架材（１４）を用いて四角く組み立て棚台（２８）を設ける。
（チ）棚台（２８）に、横揺れ止めとして、ブレス（１５）を取り付ける。
（リ）棚台（２８）に棚板Ａ（１６）、棚板Ｂ（１７）、棚板Ｃ（１８）を取り付ける。
（ヌ）地中埋設の場合は、４本の支柱に垂直に、支持材Ａ（１９）、支持材Ｂ（２０）、斜材受け（２２）を取り付ける。
（ル）地上面置きの場合は、４本の柱それぞれに直角に、支持材Ａ（１９）、支持材Ｂ（２０）、斜材受け（２２）、斜材（２１）を取り付ける。
本発明は、以上の構成よりなっている。
【図面の簡単な説明】
【０００７】
【図１】本発明の斜視図
【図２】本発明の正面図
【図３】本発明の左側面図
【図４】本発明の平面図
【図５】本発明の参考脚部拡大図
【符号の説明】
【０００８】１  長い支柱
２  短い支柱
３  桟Ａ
４  桟Ｂ
５  桟Ｃ
６  桟Ｄ
７  桟Ｅ
８  桟Ｆ
９  筋違い
１０補強材
１１梁Ａ
１２梁Ｂ
１３梁Ｃ
１４横架材
１５ブレス
１６棚板Ａ
１７棚板Ｂ
１８棚板Ｃ
１９支持材Ａ
２０支持材Ｂ
２１斜材
２２斜材受け
２３棚受けＡ
２４棚受けＢ
２５棚受けＣ
２６棚受け枠Ａ
２７棚受け枠Ｂ
２８棚台
【図１】
2009101113.tif 000003
【図２】
2009101113.tif 000004
【図３】
2009101113.tif 000005
【図４】
2009101113.tif 000006
【図５】
2009101113.tif 000007
(57)【要約】【課題】  首の周囲に隙間ができないようにして保温効果を良くし、さらに暖を採るためのカイロ入れのポケットを取りつけた、冬季、首筋から入り込む寒気による身体の冷えを解消するための、簡便に着用できる採暖型の防寒首巻きを提供する。【解決手段】  首巻き本体１の両端にマジックテープのオス２とメス３をそれぞれ個別に取りつけるほかに、首巻き本体１の中央部分にカイロ入れのポケット６を取りつけ、その中にカイロ７を入れて暖を採れるようにする。【選択図】図３
2009101115.tif 000002
【特許請求の範囲】
【請求項１】
首巻き本体１の片方の端の表面にマジックテープのオス２を、もう一方の端の裏面にマジックテープのメス３を取りつけて、首にひと巻きして留める採暖型の防寒首巻き。
【請求項２】
首巻き本体１の中央部分に暖を採るためのカイロ７を入れるポケット６を取りつけた請求項１記載の採暖型の防寒首巻き。
【発明の詳細な説明】
【技術分野】
【０００１】  本発明は、冬の寒いとき、襟首の隙間から入り込む寒気による身体の冷えを解決するために、両端に取りつけたマジックテープで留めて首に密着させ、隙間ができないようにすると同時に、首の後ろに当てる中央部分にポケットを取りつけ、その中に保温具のカイロを入れて暖を採り、暖かさをさらに増すようにしたものである。
【背景技術】
【０００２】  従来の首巻きには、両端をマジックテープで留める形状のものはない。しかし、カイロを格納するポケットを閉鎖するようにした首巻きはある（特許文献１参照）。【０００３】
【特許文献１】  特許公開平１０−１４０４１０号
【発明の開示】
【発明が解決しようとする課題】
【０００４】  その他にも多種多様なものがあるが、以下のような問題点があった。
（イ）例えば、筒形で頭から通さないと着用できない煩わしさのあるものやチューブ管の形でその中に空気を充填してから巻きつける手間のかかるもの、
（ロ）生地が厚手のために首周りが重苦しく、室内用には不向きなもの、
（ハ）着用中に弛みだして首の周りが盛り上がったり、隙間ができたりして寒気が入り込み、そのつど締め直す煩わしさのある化繊系のネッカチーフ、など。
元来、人間の首の後ろには身体の寒さや暖かさを感知するスイッチがあって、その部分を冷やすとスイッチが「寒」に、暖めるとスイッチが「暖」に切り替わり、寒さや暖かさが全身に伝わる機能が備わっている。
本発明はこの点に着目し、これらの問題点を解決するためになされたものである。
【課題を解決するための手段】
【０００５】  襟首からの寒気の侵入を防いで保温効果を上げるために、首巻き本体１の両端をマジックテープのオス２とメス３で留めて首に密着させ、隙間ができないようにする。
また、首の後ろに当てる中央部分にポケット６を取りつけ、その中にカイロ７を入れて暖を採るようにする。なお、首にひと巻きして留めるので、首巻き本体１の丈を短くし、体裁のことも考えて、へりが着衣の襟からはみ出さないよう、小型のカイロを格納できる程度に幅も狭くする。
【発明の効果】
【０００６】  カイロを入れずに着用しても、肌着を一枚重ね着したのと同じぐらいの暖気を得られる。留めた両端の部分のマジックテープがずれないので、首の周囲に隙間ができない。そのため寒気が入らず保温効果が良い。幅が狭く首周りが苦にならないので、夜これを首に巻いて就寝すると熟睡できる。小用で起きる回数も少なくなる。
屋外で仕事をする際、この首巻きとカイロを携行していると、着用が簡便なので急場の寒さしのぎに役立つ。首に直接巻きつけるので、襟付き着衣の襟の垢の汚れが少ない、汚れた首巻き本体の洗濯が簡単にできる、などの利点がある。
【発明を実施するための最良の形態】
【０００７】  以下、本発明の実施の形態を説明する。
（イ）首巻き本体１の片方の端の表面にマジックテープのオス２を、もう一方の端の裏面にマジックテープのメス３を取りつける。
（ロ）首巻き本体１の中央部分に、カイロ７を格納するポケット６を取りつける。
本発明は、以上の構成からなる採暖型の防寒首巻きである。
【実施例】
【０００８】  本発明を首に巻きつける場合は、先ずマジックテープのオス２のついた面を上向きにしてその端を右手に持ち、下向きになっているマジックテープのメス３のついた面の端を左手に持って、左右にピンと張る。
その状態で、カイロ入れのポケット６の部分を首の真後ろに当てて首にひと巻きし、図３のようにマジックテープのオス２を下にして、その上にマジックテープのメス３を重ね合わせて交差させ、その部分を上から指先で押しつけ密着させて留める。
【図面の簡単な説明】
【０００９】
【図１】  本発明の平面図
【図２】  本発明の断面図
【図３】  本発明を首に巻きつけたときの正面図
【符合の説明】
【００１０】    １採暖型の防寒首巻き本体
２マジックテープのオス
３マジックテープのメス
４カイロの入れ口（開口部）
５ポケットの境目
６カイロ入れのポケット
７カイロ
【図１】
2009101115.tif 000003
【図２】
2009101115.tif 000004
【図３】
2009101115.tif 000005
(57)【要約】      （修正有）【課題】手足の血液を下げる器具を提供する。【解決手段】手挟み１，足挟み２，腰あて３，つぼ４，枕５，を有する机兼用の血液下がり器。悪い血液は重力によって手足の指先に留まってしまう。それをこの血液下がり器によって悪い血液を心臓に戻す。又手足の指を開くことによって更にその効果を向上させる。【選択図】図３
2009101117.tif 000002
【特許請求の範囲】
【請求項１】
机兼用の血液下がり
【請求項２】
机兼用の腰伸ばし
【請求項３】
机兼用の背中つぼ
【請求項４】
机兼用の枕
【発明の詳細な説明】
【発明の詳細な説明】
【０００１】  手足の血液を下げる
【技術分野】  本発明は、悪い血液は重力によって手足の指先に留まってしまう。それをこの血液下がり器によって悪い血液を心臓に戻す。又手足の指を開くことによって更にその効果を向上させる。
【背景技術】
【０００２】ない
【本発明が解決しようとする課題】
【０００３】  本発明は手足の血流を良くするものである。
【問題を解決するための手段】
【０００４】  本発明は手足に留まった血液を心臓に戻す。
【図面の簡単な説明】
【図１】  立面図
【図２】  図１をひっくり返した図
【図３】  足血流良くの側面図
【符号の説明】
１    手挟み
２    足挟み
３    腰あて
４    つぼ
５    枕
【図１】
2009101117.tif 000003
【図２】
2009101117.tif 000004
【図３】
2009101117.tif 000005
(57)【要約】【課題】  本発明は、デジタルオーディオプレーヤ、デジタルオーディオレコーダ、マイク付きヘッドフォンセット、再生用オーディオアダプタ、録音用オーディオアダプタ、接続コードを組み合わせて構成したことが特徴の歩行時反応時間の測定装置を提供する。【解決手段】デジタルオーディオプレーヤ、デジタルオーディオレコーダ、マイク付きヘッドフォンセット、再生用オーディオアダプタ、録音用オーディオアダプタ、接続コードを組み合わせて構成したことが特徴の歩行時反応時間の測定装置。【選択図】図１
2009101116.tif 000002
【特許請求の範囲】
【請求項１】
デジタルオーディオプレーヤ、デジタルオーディオレコーダ、マイク付きヘッドフォンセット、再生用オーディオアダプタ、録音用オーディオアダプタ、接続コードを組み合わせて構成したことが特徴の歩行時反応時間の測定装置。
【発明の詳細な説明】
【技術分野】
【０００１】  本発明は、デジタルオーディオプレーヤ、デジタルオーディオレコーダ、マイク付きヘッドフォンセット、再生用オーディオアダプタ、録音用オーディオアダプタ、接続コードを組み合わせて構成したことが特徴の歩行時反応時間の測定装置に関するものである。
【背景技術】
【０００２】  従来の歩行時反応時間の測定方法は、実験室で音刺激装置とオシロスコープ、アンプ、マイクつきヘッドフォンを組み合わせて行っており、反応時間の測定装置として市販されたものはなかった。
【発明の開示】
【発明が解決しようとする課題】
【０００３】  そのため、次のような問題点があった。
従来の方法では、電波受信の範囲が狭く、歩行距離と歩行路は限定されていた。
たとえば、住宅や病院、介護施設での測定ができなかった。
そのため、実験室のみでの測定にとどまり、自由に歩行した場合の測定が不可能で、不便であった。
【課題を解決するための手段】
【０００４】  デジタルオーディオプレーヤ（１）、デジタルオーディオレコーダ（２）、マイク付きヘッドフォンセット（３）、再生用オーディオアダプタ（４）、録音用オーディオアダプタ（５）、接続コード（６）を組み合わせて構成したことが特徴の歩行時反応時間の測定装置。
【発明の効果】
【０００５】  本発明の歩行時反応時間測定装置により、場所・歩行路の制限なく、自由歩行時の反応時間が測定することができる。
また、録音された音声ファイルにより、データを保存することができる。
また、音声ファイルをパソコンに取り込むことにより、繰り返して使用することができる。
この歩行時反応時間の測定装置は、軽量であるため、被験者に携帯することにより、場所・歩行路の制限がない。
【発明を実施するための最良の形態】
【０００６】  本発明を実施するための形態について説明する。
デジタルオーディオプレーヤ（１）、デジタルオーディオレコーダ（２）、マイク付きヘッドフォンセット（３）、再生用オーディオアダプタ（４）、録音用オーディオアダプタ（５）、接続コード（６）を組み合わせる。
本発明に係る反応時間測定装置は、図１に示すように、デジタルオーディオプレーヤ（１）、デジタルオーディオレコーダ（２）、マイク付きヘッドフォンセット（３）、再生用オーディオアダプタ（４）、録音用オーディオアダプタ（５）、接続コード（６）にて接続する。
本発明を使うときは、デジタルオーディオプレーヤとデジタルオーディオレコーダは１つのケースに収納し、被験者の腰部に取り付ける。
また、ヘッドフォンは被験者の頭部に装着する。
デジタルオーディオプレーヤ（１）とデジタルオーディオレコーダ（２）、マイク付きヘッドフォン（３）を接続して、音刺激信号をデジタルオーディオプレーヤにより再生し、オーディオアダプタ（５）により、被験者に聞かせると同時にデジタルオーディオレコーダに録音する。
被験者の応答音はヘッドフォンを通して同じデジタルオーディオレコーダに録音する。
録音した音声ファイルはパソコンに取り込み、音声処理ソフトにより反応時間を測定することができる。
この歩行時反応時間測定装置は、軽量であるため、被験者に携帯することにより、場所・歩行路の制限はされない。
【図面の簡単な説明】
【０００７】
【図１】  本発明に係る反応時間測定装置の接続順序を示した説明図である。
【符号の説明】
【０００８】    １  デジタルオーディオプレーヤ
２  デジタルオーディオレコーダ
３  マイク付きヘッドフォン
４  再生用オーディオアダプタ
５  録音用オーディオアダプタ
６  接続コード
【図１】
2009101116.tif 000003
(57)【要約】      （修正有）【課題】足の血流を良くする。【解決手段】靴の中敷きの上敷き1下敷き２の間に磁気３を挟む。【選択図】図２
2009101111.tif 000002
【特許請求の範囲】
【請求項１】
上敷き下敷きの間に磁気を挟む
【発明の詳細な説明】
【発明の詳細な説明】
【０００１】  足の血流を良くする
【技術分野】  本発明は、靴の中敷きの間に磁気を挟み足の血流を良くするものである。
【背景技術】
【０００２】  ない
【本発明が解決しようとする課題】
【０００３】  本発明は足の血流を良くするものである。
【問題を解決するための手段】
【０００４】  本発明は従来の上敷と下敷きの間に磁気シートを挟いで血流を良くする。
【図面の簡単な説明】
【図１】  平面図
【図２】  図１Ａ−Ａの縦断側面図
【図３】  足血流良くの側面図
【符号の説明】
１    上敷き
２    磁気シート
３    下敷き
【図１】
2009101111.tif 000003
【図２】
2009101111.tif 000004
【図３】
2009101111.tif 000005